(57)【要約】【課題】ガイドワイヤが臨床に近い挙動を示す血管モデル及びその製造方法を提供する。【解決手段】軸方向に貫通した中空部１２ａを有する管状の筐体１２と、その中空部１２ａに充填され、少なくとも一方の端部に端面１４ａが形成されたゲル部材１４と、ゲル部材１４の少なくとも一方の端面１４ａに隣接して配置され、ゲル部材１４に押し進めるガイドワイヤ４０を導く導入部１６と、を備え、ゲル部材１４の端面１４ａに、導入部１６の内径よりも小さい幅の凹部１４ｂが形成された血管モデル１０が提供される。【選択図】図６
2019168532.tif 000002
【特許請求の範囲】
【請求項１】
軸方向に貫通した中空部を有する管状の筐体と、
前記筐体の中空部に充填され、少なくとも一方の端部に端面が形成されたゲル部材と、
前記ゲル部材の前記端面に隣接して配置され、前記ゲル部材に押し進めるガイドワイヤを導く導入部と、を備え、
前記ゲル部材の前記端面に、前記導入部の内径よりも小さい幅の凹部が形成されていることを特徴とする血管モデル。
【請求項２】
請求項１記載の血管モデルであって、前記導入部の内径は前記筐体の内径よりも小さいことを特徴とする血管モデル。
【請求項３】
請求項１記載の血管モデルであって、前記導入部は前記ゲル部材の前記端面と当接するとともに、前記凹部は前記導入部の内径の範囲内に形成されていることを特徴とする血管モデル。
【請求項４】
請求項１記載の血管モデルであって、前記凹部は錐状または溝状に形成されていることを特徴とする血管モデル。
【請求項５】
請求項１記載の血管モデルであって、前記ゲル部材には前記凹部と連通するとともに、軸方向に貫通する孔または裂け目よりなる貫通部が形成されていることを特徴とする血管モデル。
【請求項６】
請求項１記載の血管モデルであって、前記筐体及びゲル部材は透明であることを特徴とする血管モデル。
【請求項７】
軸方向に貫通した中空部を有する管状の筐体と、前記筐体の中空部に充填され、少なくとも一方の端部に端面が形成されたゲル部材と、前記ゲル部材の少なくとも一方の端面に隣接して配置され、前記ゲル部材に押し進めるガイドワイヤを導く導入部と、を備え、前記ゲル部材の前記端面に、前記導入部の内径よりも小さい幅の凹部が形成された血管モデルの製造方法であって、
前記筐体に前記ゲル部材の原料となる原料溶液を充填する工程と、
前記筐体の端部から前記凹部に対応する形状の凸部を有する型部材を嵌め込んで前記原料溶液に型部材を接触させる工程と、
前記筐体内の原料溶液をゲル化させて前記ゲル部材を形成する工程と、
前記型部材を除去する工程と、
を有することを特徴とする血管モデルの製造方法。
【請求項８】
請求項７記載の血管モデルの製造方法であって、前記筐体に前記原料溶液を充填する工程は、原料溶液を吸い上げて行うことを特徴とする血管モデルの製造方法。
【発明の詳細な説明】
【技術分野】
【０００１】
本発明は、医学用の血管モデル及びその製造方法に関する。
【背景技術】
【０００２】
従来より、インターベンション手技の模擬訓練や、手技に用いる治療デバイスの評価試験を行うために、種々の血管モデルが提案されている。例えば、特許文献１には、模擬狭窄血管のモデルとして、内腔部分に突出した狭窄部分を設けた血管モデルが開示されている。
【０００３】
また、特許文献２は、慢性完全閉塞病変（ＣＴＯともいう）を模して、円筒状の容器内にゲルを充填した血管モデルを開示する。
【先行技術文献】
【特許文献】
【０００４】
【特許文献１】特開２０１２−１８９９０９号公報
【特許文献２】特開２０１０−２２４０６９号公報
【発明の概要】
【発明が解決しようとする課題】
【０００５】
ところで、下肢の血管の慢性完全閉塞病変（ＣＴＯ）の治療では、閉塞部位の端部に生じる割れ目や凹みにガイドワイヤを係合させて、ガイドワイヤをＵ字型に湾曲させ、そのＵ字の湾曲部を先頭に押し進めるナックルワイヤーテクニックが用いられることがある。
【０００６】
しかしながら、従来の血管モデルでは、ガイドワイヤを進める際の最初の形状が安定せず、ガイドワイヤが実臨床と異なる動きをしてしまうという問題がある。特に、従来の血管モデルでは、ナックルワイヤーテクニックを再現することが困難である。
【０００７】
そこで、本発明は、ガイドワイヤが臨床に近い挙動を示す血管モデル及びその製造方法を提供することを目的とする。
【課題を解決するための手段】
【０００８】
前記の目的を達成するために、本発明に係る血管モデルは、軸方向に貫通した中空部を有する管状の筐体と、前記筐体の中空部に充填され、少なくとも一方の端部に端面が形成されたゲル部材と、前記ゲル部材の前記端面に隣接して配置され、前記ゲル部材に押し進めるガイドワイヤを導く導入部と、を備え、前記ゲル部材の前記端面に、前記導入部の内径よりも小さい幅の凹部が形成されていることを特徴とする。
【０００９】
上記の血管モデルによれば、凹部の幅を導入部の内径よりも小さくしたことにより、ガイドワイヤの先端が凹部からゲル部材の内部に迷い込みにくくなり、ガイドワイヤの先端の形が定まらないままゲル部材に進入する不具合を防ぐことができる。すなわち、ガイドワイヤの先端はゲル部材の平坦な端面に接触してもそのままゲル部材の内部に進入せずにＵ字型に湾曲する。その後、Ｕ字型の湾曲部を先頭にゲル部材内にガイドワイヤを進入させることができる。これにより、ガイドワイヤを臨床に近い状態でゲル部材内に進めることができる。
【００１０】
上記の血管モデルにおいて、前記導入部の内径は前記筐体の内径よりも小さくてもよい。このような導入部を用いることで、導入部の内径を筐体の内径の範囲内で様々な値に調節してガイドワイヤの先端の曲率を変えることができる。
【００１１】
上記の血管モデルにおいて、前記導入部は前記ゲル部材の前記端面と当接するとともに前記凹部は前記導入部の内径の範囲内に形成されていてもよい。このように導入部をゲル部材の端面に当接させておくと、ゲル部材の変位を防止できて好適である。
【００１２】
上記の血管モデルにおいて、前記凹部は錐状または溝状に形成されていることを特徴とする。ここで、凹部が錐状に形成されているときの凹部の幅は端面の位置における凹部の最大直径をいうものとする。また、凹部が溝状である場合には、端面の位置における、溝の短辺方向の長さを凹部の幅というものとする。このように、凹部の形状を錐状または溝状にすることで、様々な条件を模擬できる。
【００１３】
上記の血管モデルにおいて、前記ゲル部材には前記凹部と連通するとともに、軸方向に貫通する孔または裂け目よりなる貫通部が形成されていてもよい。これにより、完全に閉塞されていない血管を模擬できる。
【００１４】
上記の血管モデルにおいて、前記筐体及びゲル部材は透明であってもよい。これにより、ガイドワイヤの三次元的な形状を視認しながらガイドワイヤを進めることができる。
【００１５】
また、本発明に係る血管モデルの製造方法は、軸方向に貫通した中空部を有する管状の筐体と、前記筐体の中空部に充填され、少なくとも一方の端部に端面が形成されたゲル部材と、前記ゲル部材の少なくとも一方の端面に隣接して配置され、前記ゲル部材に押し進めるガイドワイヤを導く導入部と、を備え、前記ゲル部材の前記端面に、前記導入部の内径よりも小さい幅の凹部が形成された血管モデルの製造方法であって、前記筐体に前記ゲル部材の原料となる原料溶液を充填する工程と、前記筐体の端部から前記凹部に対応する形状の凸部を有する型部材を嵌め込んで前記原料溶液に型部材を接触させる工程と、前記筐体内の原料溶液をゲル化させて前記ゲル部材を形成する工程と、前記型部材を除去する工程と、を有することを特徴とする。
【００１６】
上記の血管モデルの製造方法において、前記筐体に前記原料溶液を充填する工程は、原料溶液を吸い上げて行ってもよい。
【発明の効果】
【００１７】
本発明によれば、ガイドワイヤが臨床に近い挙動を示す血管モデル及びその製造方法が得られる。
【図面の簡単な説明】
【００１８】
【図１】比較例に係る血管モデルとその血管モデル内でのガイドワイヤの進み方を示す模式断面図である。
【図２】図２Ａは、本発明の実施形態に係る血管モデルの斜視図であり、図２Ｂはその端部付近の拡大斜視図である。
【図３】図３Ａは、図２Ａの血管モデルの端部付近の断面図であり、図３Ｂはその斜視断面図である。
【図４】図４Ａは、筐体に原料溶液を充填する工程を示す模式断面図であり、図４Ｂはゲル部材の成形工程を示す断面図であり、図４Ｃは導入部を組み付ける工程を示す断面図である。
【図５】実施形態に係る血管モデルをクロスオーバーモデルに接続した例を示す模式図である。
【図６】図６Ａは、実施形態に係る血管モデルにガイドワイヤの先端を接触させた状態を示す断面図であり、図６Ｂは同じくガイドワイヤを湾曲させた状態を示す断面図であり、図６Ｃはガイドワイヤをゲル部材の内部に進入させた状態を示す断面図である。
【図７】図７Ａは、実施形態の変形例１に係るゲル部材の断面図であり、図７Ｂは実施形態の変形例２に係るゲル部材の断面図であり、図７Ｃは実施形態の変形例３に係るゲル部材の断面図であり、図７Ｄは実施形態の変形例４に係るゲル部材の断面図である。
【図８】実施形態の変形例５に係るゲル部材の断面図である。
【図９】図９Ａは、実施形態の変形例６に係るゲル部材の断面図であり、図９Ｂは実施形態の変形例７に係るゲル部材の断面図であり、図９Ｃは実施形態の変形例８に係るゲル部材の断面図である。
【図１０】図１０Ａは、実施形態の変形例９に係るゲル部材の断面図であり、図１０Ｂは実施形態の変形例１０に係るゲル部材の断面図である。
【発明を実施するための形態】
【００１９】
以下、本発明の実施形態の説明に先立って、比較例に係る血管モデルについて説明する。
【００２０】
比較例に係る血管モデル９０は、図１に示すように、内径βの管状の筐体９２にゲル素材よりなるゲル部材９４を充填した構造となっており、そのゲル部材９４の端部にガイドワイヤ９９をゲル部材９４に導く筒状の導入部９６が取り付けられている。ゲル部材９４の端部には、断面Ｖ型の溝９８が形成されている。この溝９８は、ガイドワイヤ９９の先端部９９ａのゲル部材９４の進入を容易にするために形成されている。そのため、溝９８の幅γは、導入部９６の内径αと同等またはこれよりも大きく形成されている。
【００２１】
このような血管モデル９０において、導入部９６からガイドワイヤ９９をゲル部材９４に向けて進めると、ガイドワイヤ９９の先端部９９ａが溝９８の側壁９８ａに当たり、ガイドワイヤ９９の先端部９９ａが溝９８の先端９８ｂに導かれる。そして、ガイドワイヤ９９の先端部９９ａが溝９８の先端９８ｂからゲル部材９４内に進入する。このようにしてガイドワイヤ９９は、先端部９９ａからゲル部材９４に進入する。
【００２２】
ところが、ゲル部材９４に進入したガイドワイヤ９９は、その先端部９９ａがゲル部材９４内で最も進みやすいところに向かってしまう傾向がある。そのため、ゲル部材９４の内部のわずかな硬さのばらつきや濃度のばらつきなどによって、意図せぬ方向にガイドワイヤ９９が進んでしまい、その進行方向のコントロールが難しい。
【００２３】
そのため、例えば、先端部９９ａがゲル部材９４の内部にある程度進んでからＵ字型に変形したり、Ｕ字型に変形しないままゲル部材９４と筐体９２の境界部分を進んだりする。このように、比較例の血管モデル９０では、ガイドワイヤ９９の形状に再現性が得られない。また、ゲル部材９４の内部でガイドワイヤ９９を確実にＵ字型に湾曲させてナックルワイヤーテクニックを再現することも困難である。実臨床の条件では、血管の閉塞部の端部でガイドワイヤをＵ字型に屈曲させることが可能であるが、図１の血管モデル９０では、そのような操作を確実に行うことができない。
【００２４】
（実施形態）
以下、本発明の好適な実施形態を挙げ、添付の図面を参照して詳細に説明する。
【００２５】
図２Ａに示すように、本発明の実施形態に係る血管モデル１０は、筐体１２と、筐体１２の内部に充填されたゲル部材１４と、筐体１２の両方の端部１２ｃ、１２ｄにそれぞれ取り付けられた一対の導入部１６とを有している。
【００２６】
筐体１２は、細長く伸びた円筒状の部材である。その内部には断面円形の中空部１２ａが設けられている。中空部１２ａは筐体１２の軸方向に貫通しており、長手方向に均一の直径で形成されている。その中空部１２ａは、筐体１２の一方の端部１２ｃ及び他方の端部１２ｄにおいて開口している。
【００２７】
筐体１２は例えばポリカーボネートなどの透明な樹脂部材で形成されており、その内部を視認することができるようになっている。特に限定されないが、筐体１２の内径は０．５〜１５ｍｍ、好ましくは３〜１０ｍｍ、長さは１０ｍｍから５００ｍｍ、好ましくは４０ｍｍから３００ｍｍとすることができる。
【００２８】
筐体１２の一方の端部１２ｃ及び他方の端部１２ｄには、導入部１６がそれぞれ取り付けられている。図２Ｂ、図３Ａ及び図３Ｂに示すように、導入部１６は、筐体１２の軸方向に伸びた筒状部１６ｂを備えている。この筒状部１６ｂの外径は筐体１２の中空部１２ａの内径βよりも小さく形成されており、その中心部には、案内孔１６ａが形成されている。案内孔１６ａは断面円形に形成されており、導入部１６を軸方向に貫通している。図３Ａに示すように、案内孔１６ａの内径αは、筐体１２の内径（中空部１２ａの直径）βよりも小さく形成されている。
【００２９】
筒状部１６ｂには、径方向外方にフランジ状に伸び出た係止部１６ｄ及び接続部１６ｅが形成されている。筒状部１６ｂの先端側は筐体１２の中空部１２ａに挿入され、筐体１２の内周面と接することで摩擦力を発揮して導入部１６の脱落を防ぐ。係止部１６ｄは、筐体１２の外径と略同じ直径に形成されており、その一方の端面が筐体１２の端部１２ｃ（または端部１２ｄ）と当接する。この係止部１６ｄにより導入部１６の筐体１２の内部への進入長さが規制される。
【００３０】
接続部１６ｅは、本発明に係る血管モデル１０に接続される他の血管モデルとの接続に用いられる。図示の例では、接続部１６ｅはＩＳＯ８０３６９で規定されたフランジ状に形成されたものを示しているが、これに限定されるものではなくネジ機構などを設けてもよい。
【００３１】
導入部１６の材料は、例えばポリプロピレン、ポリエチレン、ポリカーボネートなどの樹脂材料を用いることができる。また、筒状部１６ｂの長さは例えば１００ｍｍ程度、その外径は１０ｍｍ程度とすることができる。また、筒状部１６ｂの内部に形成される案内孔１６ａの内径αは例えば３ｍｍ程度とすることができる。
【００３２】
ゲル部材１４は筐体１２の中空部１２ａに充填されている。ゲル部材１４は導入部１６に挟まれた状態で筐体１２の内部に保持される。ゲル部材１４の端部には、隣接する導入部１６の先端部１６ｆと対向する端面１４ａが形成されている。端面１４ａは、軸方向に対して略垂直な平面として形成されている。筒状部１６ｂの先端部１６ｆはゲル部材１４の端面１４ａと当接することが好ましい。これにより、ゲル部材１４の軸方向の移動を阻止することができる。ただし、筒状部１６ｂと端面１４ａとは、密着していることが好ましいが、ガイドワイヤの先端外径よりも小さい距離だけ離間していてもよい。
【００３３】
ゲル部材１４には、透明なゲル素材を用いることができ、例えば、セルロースやアガロースなどの多糖類系ゲル材料や、ポリアクリル酸系のゲル材料などを用いることができる。より好ましくは、アガロースを用いることができる。アガロースは、水分量の調整により、硬さを自在に調整できる。ゲル部材１４は、径方向及び軸方向に均一な硬さであってもよい。なお、ゲル部材１４は、その硬さを径方向及び／または軸方向に変化させたものであってもよい。
【００３４】
図３Ａに示すように、ゲル部材１４の端面１４ａの中央部には、断面Ｖ字型の凹部１４ｂが形成されている。この凹部１４ｂは、導入部１６の案内孔１６ａの内部に露出する位置に形成されている。図３Ｂに示すように、凹部１４ｂは円錐形に形成されている。この凹部１４ｂの端面１４ａの位置での直径である幅γは、図３Ａに示すように、案内孔１６ａの内径αよりも小さく形成されている。凹部１４ｂの幅γは、例えば１ｍｍ〜３ｍｍの範囲で且つ案内孔１６ａの内径αよりも小さくすることができる。このような凹部１４ｂを設けた場合には、案内孔１６ａには、凹部１４ｂとともに、ゲル部材１４の平坦な端面１４ａが現れる。この平坦な端面１４ａを案内孔１６ａの内部に露出させておくことで、後述するようにガイドワイヤ４０（図６Ａ〜図６Ｃ参照）が先端部４２からゲル部材１４に進入するのを防いでＵ字型に湾曲させることができる。
【００３５】
なお、凹部１４ｂの形状は、円錐形に限定されるものではなく、断面Ｖ字型の溝状であってもよく、三角錐、四角錐、楕円錘、半長円形、円錐台、楕円錘台、直方体形状あるいはこれらの組み合わせであってもよい。この場合、凹部１４ｂの幅γは、溝の長手方向に直交する方向（短辺方向）の長さであり、その場合であっても、凹部１４ｂの幅γが案内孔１６ａの内径αよりも小さく形成されればよい。
【００３６】
以上のような、本実施形態の血管モデル１０は、以下のようにして作製される。
【００３７】
まず、図４Ａに示すように、容器２２を用意し、ゲル部材１４の原料としてアガロースを加温した水に溶かした原料溶液２４を用意する。次に、筐体１２を用意し、その一方の端部１２ｃに吸引装置２６を取り付ける。その後、筐体１２の他方の端部１２ｄを、原料溶液２４の中に入れ、吸引装置２６のピストン２８を引いて筐体１２の中空部１２ａに原料溶液２４を吸い上げる。筐体１２の中空部１２ａが原料溶液２４で満たされたら、吸引を止め、筐体１２から吸引装置２６を取り外す。
【００３８】
次に、図４Ｂに示すように、筐体１２の両方の端部１２ｃ、１２ｄに型部材３２を装着する。この型部材３２の先端部には、平坦面３４ｂが形成されるとともに、その平坦面３４ｂの中央部に、円錐状の凸部３４ａが形成されている。凸部３４ａの形状は、凹部１４ｂに対応する形状に形成されている。原料溶液２４は、筐体１２の両方の端部１２ｃ、１２ｄに取り付けられた型部材３２に挟まれた部分に保持される。
【００３９】
その後、筐体１２を室温でしばらく放置することにより、原料溶液２４をゲル化させてゲル部材１４を形成する。原料溶液２４は、凸部３４ａ及び平坦面３４ｂと接触した状態でゲル化する。その結果、ゲル部材１４の端部に、端面１４ａ及び凹部１４ｂが形成される。その後、型部材３２を除去する。
【００４０】
次に、図４Ｃに示すように、筐体１２の端部１２ｃ、１２ｄから、それぞれ導入部１６を、中空部１２ａに挿入する。これにより、本実施形態の血管モデル１０が完成する。
【００４１】
血管モデル１０及びその製造方法は以上のとおりであり、以下、その機能について説明する。
【００４２】
血管モデル１０は、図２Ａに示すような単体のまま使用してもよいし、図５に示すような、クロスオーバーモデル１００に接続してもよい。血管モデル１０が接続されるクロスオーバーモデル１００は、所定の長さを有するＵ字型に湾曲した筒状に形成されている。このクロスオーバーモデル１００は図示しない基台に固定されている。クロスオーバーモデル１００の一端部には、血管モデル１０に接続するための接続用コネクタが設けられていてもよい。血管モデル１０は、あるいは、腕の橈骨動脈からカテーテルを挿入して下肢動脈の治療を模擬するために、腕の動脈と大動脈と下肢動脈を有する血管モデルに接続されていてもよい。
【００４３】
血管モデル１０は、図６Ａに示すように、導入部１６の案内孔１６ａにガイドワイヤ４０を挿入して使用する。ガイドワイヤ４０を案内孔１６ａに挿入していくと、ガイドワイヤ４０の先端部４２は最初に、ゲル部材１４の端面１４ａと接触する。なお、ガイドワイヤ４０の先端部４２がゲル部材１４の凹部１４ｂに当たってしまった場合は、ガイドワイヤ４０を回転させるなどして、先端部４２を凹部１４ｂから外すようにする。
【００４４】
その後、ガイドワイヤ４０をさらに先端側に押し込む。いわゆる、スタンダードタイプと呼ばれる通常の硬さを有するガイドワイヤ４０であれば、その先端部４２が平坦な端面１４ａからゲル部材１４の内部に進入せずに、ゲル部材１４から逃げるように変形する。その結果、図６Ｂに示すようにＵ字型に湾曲し、先端部４２が手元側に曲げ戻された状態となる。すなわち、Ｕ字型の湾曲部４４が進行方向の先頭となる。このように、本実施形態の血管モデル１０によれば、平坦な端面１４ａでガイドワイヤ４０の先端部４２のゲル部材１４への進入を防ぎつつ、ガイドワイヤ４０をＵ字型に形付けることができる。
【００４５】
その後、ガイドワイヤ４０を操作して、図示のように、Ｕ字型の湾曲部４４を凹部１４ｂに引っ掛けた状態とする。次に、Ｕ字型に湾曲したガイドワイヤ４０をさらに押し込む。すると、図６Ｃに示すように、Ｕ字型の湾曲部４４を先頭にしてガイドワイヤ４０がゲル部材１４の内部に進入する。その後、ガイドワイヤ４０を押し込むことにより、ガイドワイヤ４０をＵ字型に湾曲した状態のままゲル部材１４内を進めることができる。凹部１４ｂは、ガイドワイヤ４０がゲル部材１４の内部に進入する際の起点となる。
【００４６】
以上のように、血管モデル１０によれば、ゲル部材１４の端面１４ａに設けられた凹部１４ｂの幅γを、導入部１６の案内孔１６ａの内径αよりも小さくした。これにより、案内孔１６ａに挿入したガイドワイヤ４０が、その先端部４２からゲル部材１４に進入してしまうのを防ぎ、ゲル部材１４の進入に先立ってＵ字型に確実に湾曲させることができるようになる。その結果、血管モデル１０によれば、ガイドワイヤ４０の形状を安定させることができ、ナックルワイヤーテクニックを実臨床に近い条件の下で模擬することができる。
【００４７】
（その他の変形例）
以下、血管モデル１０のその他の変形例について説明する。血管モデル１０のゲル部材１４の凹部１４ｂの断面形状によっては、ガイドワイヤ４０がゲル部材１４に進入する際の湾曲部分の曲率が変わり、ガイドワイヤ４０の進み方が変わることもある。また、ＣＴＯの基端側面は様々な形状であり、円錐形の凹部１４ｂだけでは、ガイドワイヤ４０の動きを模擬しきれない場合も考えられる。そこで、図７Ａ〜図７Ｄに示すように、ゲル部材１４の端面１４ａに形成する凹部１４ｅ、１４ｆ、１４ｇ、１４ｈの様な形状としてもよい。
【００４８】
例えば、図７Ａの凹部１４ｅのように、底の部分の曲率半径を大きくしてもよい。また、図７Ｂの凹部１４ｆのように、凹部１４ｆ自体を案内孔１６ａの中心軸から離れた位置でガイドワイヤ４０の操作を狭い部分で行わせることで、難易度を高めてもよい。さらに、図７Ｃの凹部１４ｇのように水滴型でもよい。また、図７Ｄの円筒状の孔の奥に円錐形の凹部１４ｈを設けた形状とすることで、凹部１４ｂよりも深い凹部１４ｈとしてもよい。また、図８の凹部１４ｚに示すように、その深さｄよりも幅γの大きな浅い形状としてもよい。
【００４９】
また、図９Ａに示すように、凹部１４ｂと連通し、ゲル部材１４の一方の端面１４ａから他方の端面１４ａに向けて貫通する貫通部１４ｉ（孔または裂け目）を設けることで、完全には閉塞していない血管を再現してもよい。また、図９Ｂに示すように、ゲル部材１４には、孔または裂け目よりなる屈曲した貫通部１４ｊを設けることで、屈曲した血管を再現してもよい。また、図９Ｃに示すように、ゲル部材１４には、途中の分岐部１４ｋ１で分岐した孔または裂け目よりなる貫通部１４ｋを設けてもよい。この貫通部１４ｋは、分岐部１４ｋ１から分岐した分枝部１４ｋ２が側方に伸びて筐体１２に到達している。
【００５０】
また、図１０Ａに示すように、ゲル部材１４の途中の端部１４ｌ１まで形成された孔または裂け目よりなる細い通路１４ｌを設けてもよい。また、図１０Ｂに示すように、ゲル部材１４の基端面及び先端面からそれぞれ中央に向けて伸びる２つの通路１４ｍ及び通路１４ｎを設けてもよい。通路１４ｍは、先端部１４ｍ１で閉塞しており、通路１４ｎは先端部１４ｎ１で停止し、完全に貫通しない状態となっている。また、凹部１４ｂは、ゲル部材１４の両端のうち、ＣＴＯの基端側に相当する端面に設けられることで、より実臨床に近い血管モデルを模擬することが可能である。
【００５１】
上記において、本発明について好適な実施形態を挙げて説明したが、本発明は前記実施形態に限定されるものではなく、本発明の趣旨を逸脱しない範囲において、種々の改変が可能なことは言うまでもない。
【符号の説明】
【００５２】
１０…血管モデル                １２…筐体
１４…ゲル部材                  １４ａ…端面
１４ｂ…凹部                    １６…導入部
１６ａ…案内孔
【図１】
2019168532.tif 000003
【図２】
2019168532.tif 000004
【図３】
2019168532.tif 000005
【図４】
2019168532.tif 000006
【図５】
2019168532.tif 000007
【図６】
2019168532.tif 000008
【図７】
2019168532.tif 000009
【図８】
2019168532.tif 000010
【図９】
2019168532.tif 000011
【図１０】
2019168532.tif 000012